(57)【要約】【課題】ユーザーの利便性を向上できる画像形成装置を提供する。【解決手段】画像形成装置１は、筐体２と、収納部１０とを備え、シートに画像を形成する。筐体は、上面３Ｃを有する。収納部は、筐体２に支持され、電子機器２０を収納する。収納部は、天面１２と、前端面１４Ａと、後端面１４Ｂとを有し、第１姿勢と第２姿勢との間で回動可能である。第１姿勢は、収納部の天面が筐体の上面と平行である。第２姿勢は、収納部の前端面１４Ａ側を支点として、収納部の後端面１４Ｂ側が前端面１４Ａ側よりも上に位置するように、収納部が第１姿勢から回動している。【選択図】図２
2018034323.tif 000002
【特許請求の範囲】
【請求項１】
シートに画像を形成する画像形成装置であって、
上面を有する筐体と、
前記筐体に支持され、電子機器を収納する収納部と、
を備え、
前記収納部は、天面と、前端面と、後端面とを有し、第１姿勢と第２姿勢との間で回動可能であり、
前記第１姿勢は、前記収納部の前記天面が前記筐体の前記上面と平行であり、
前記第２姿勢は、前記収納部の前記前端面側を支点として、前記収納部の前記後端面側が前記前端面側よりも上に位置するように、前記収納部が前記第１姿勢から回動している、画像形成装置。
【請求項２】
前記電子機器はリード線を有し、
前記収納部は前記リード線を更に収納可能である、請求項１に記載の画像形成装置。
【請求項３】
前記収納部は、前記リード線が電気的に接続される被接続部を更に有する、請求項２に記載の画像形成装置。
【請求項４】
前記被接続部は、前記収納部のうち、前記後端面側よりも前記前端面側に近い位置に配設される、請求項３に記載の画像形成装置。
【請求項５】
前記筐体は後面を有し、
前記収納部が前記第２姿勢であるとき、前記後端面側は、前記前端面側よりも、前記筐体の前記後面側に位置する、請求項１から請求項４のいずれか１項に記載の画像形成装置。
【請求項６】
前記電子機器は発光部を有し、
前記収納部は、前記電子機器を覆う蓋板を有し、
前記蓋板は、前記発光部が発光する光を透過する、請求項１から請求項５のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、筐体と、筐体にＩＣカードリーダーを取り付ける取付部とを備える。取付部は、筐体に対して回動可能である。取付部が回動可能であることによって、ＩＣカードをかざし易いように、ＩＣカードリーダーの角度を調節することができる。
【先行技術文献】
【特許文献】
【０００３】
【特許文献１】特開２０１２−２１０８０１号公報
【発明の概要】
【発明が解決しようとする課題】
【０００４】
特許文献１に記載の画像形成装置においては、取付部が筐体の前面から前方に突出している。従って、取付部にユーザーが接触し易く、ＩＣカードリーダーの角度が変わり易い。その結果、角度が変わる度にＩＣカードリーダーの角度を調節し直すことが必要である。
【０００５】
本発明は、上記課題に鑑みてなされたものであり、ユーザーの利便性を向上できる画像形成装置を提供することを目的としている。
【課題を解決するための手段】
【０００６】
本発明によれば、画像形成装置は、筐体と、収納部とを備え、シートに画像を形成する。筐体は、上面を有する。収納部は、筐体に支持され、電子機器を収納する。収納部は、天面と、前端面と、後端面とを有し、第１姿勢と第２姿勢との間で回動可能である。第１姿勢は、収納部の天面が筐体の上面と平行である。第２姿勢は、収納部の前端面側を支点として、収納部の後端面側が前端面側よりも上に位置するように、収納部が第１姿勢から回動している。
【発明の効果】
【０００７】
本発明によれば、ユーザーの利便性を向上できる。
【図面の簡単な説明】
【０００８】
【図１】本発明の実施形態１に係る画像形成装置を示す図である。
【図２】図１の画像形成装置の一部分を拡大して示す図である。
【図３】図１の収納部の横断面図である。
【図４】図１の収納部の横断面図である。
【図５】図１の収納部の内部構造を示す図である。
【発明を実施するための形態】
【０００９】
以下、図１〜図５を参照して、本発明の実施形態を説明する。なお、図中、同一又は相当部分については同一の参照符号を付して説明を繰り返さない。
【００１０】
図１〜図４を参照して、本発明の一実施形態に係る画像形成装置の概略構成を説明する。図１は、本発明の実施形態１に係る画像形成装置１を示す。図２は、画像形成装置１の一部分を拡大して示す。画像形成装置１は、例えば複合機であり、シートに画像を形成する。なお、以下の説明で用いられる「上」、「下」、「前」、「後」、「左」、及び「右」のような方向を表す用語は、単に、説明の明瞭化を目的とするものであり、画像形成装置の原理を何ら限定するものではない。
【００１１】
図１及び図２に示すように、画像形成装置１は、筐体２と、収納部１０と、制御部４０とを備える。筐体２は、前面３Ａと、後面３Ｂと、上面３Ｃとを有する。制御部４０は、筐体２に収容され、所定の処理を実行する。所定の処理は、例えばユーザーの認証処理である。
【００１２】
収納部１０は、筐体２に支持され、電子機器としてのＩＣカードリーダー２０を収納する。収納部１０は、天面１２と、前端面１４Ａと、後端面１４Ｂとを有する。
【００１３】
ＩＣカードリーダー２０は、蓋板１１によって覆われる。蓋板１１は、例えば、すり板ガラスから形成されており、光を透過する。蓋板１１の片面は、光を拡散する拡散面である。拡散面は、板ガラスの片面をすり加工して形成される。蓋板１１の拡散面が天面１２を形成するように、蓋板１１は収納部１０に配設される。従って、収納部１０の天面１２には指紋が付着しにくく、画像形成装置１の美観を維持することが容易になる。
【００１４】
ＩＣカードリーダー２０は、蓋板１１を介して、ＩＣカードに記録された情報を読み取る。ＩＣカードリーダー２０によって読み取られた情報は、制御部４０に入力される。制御部４０は、ＩＣカードリーダー２０が読み取った情報に基づいて、所定の処理を行う。
【００１５】
また、ＩＣカードリーダー２０は、発光部２１を有する。発光部２１は例えば発光ダイオードを含む。発光部２１は、ＩＣカードリーダー２０のうち、蓋板１１と対向する部分に配設される。
【００１６】
図２に示すように、画像形成装置１はフリーストップ型のヒンジ４を備える。収納部１０は、ヒンジ４によって、筐体２に支持される。ヒンジ４は支軸５を有する。収納部１０は支軸５に沿って延びている。ヒンジ４は、収納部１０の長手方向の中央部に配設される。ヒンジ４の支軸５は、筐体２の前面３Ａに沿って延びるように配設される。収納部１０は、支軸５を支点として、第１姿勢と第２姿勢との間で回動可能である。
【００１７】
図３及び図４は、収納部１０の横断面図である。
【００１８】
図３において、収納部１０は、第１姿勢で前端面１４Ａが筐体２の前面３Ａと面一となる位置に位置する。図３に示すように、支軸５は、収納部１０の前端面１４Ａ側に配設される。第１姿勢は、収納部１０の天面１２が筐体２の上面３Ｃと平行である。
【００１９】
図４において、収納部１０は第２姿勢である。図４に示すように、第２姿勢においては、収納部１０の後端面１４Ｂ側は前端面１４Ａ側よりも上に位置する。収納部１０が第１姿勢から第２姿勢に回動するとき、収納部１０の変位量θは、例えば、０度よりも大きく、１８０度よりも小さい。
【００２０】
図３及び図４に示すように、画像形成装置１は接続ライン３１を備える。また、収納部１０は、コネクター３０を有する。コネクター３０は、例えばＵＳＢポートである。接続ライン３１は、コネクター３０と制御部４０とを接続する。コネクター３０は、収納部１０のうち、後端面１４Ｂ側よりも前端面１４Ａ側に近い位置に配設される。
【００２１】
以上、図１〜図４を参照して説明したように、本実施形態の画像形成装置１においては、収納部１０が第１姿勢と第２姿勢との間で回動可能である。収納部１０が、第１姿勢から第２姿勢に回動するとき、収納部１０は、前端面１４Ａ側を支点として、後端面１４Ｂ側が前端面１４Ａ側よりも上に位置するように回動する。従って、筐体２の前面３Ａ側から見て、支点は概ね前面３Ａ側にあり、ユーザーとの接触が抑制される。その結果、ＩＣカードリーダー２０にＩＣカードをかざし易い状態を安定して保つことができ、ユーザーの利便性を向上できる。
【００２２】
なお、収納部１０が第２姿勢であるとき、収納部１０の後端面１４Ｂ側は、前端面１４Ａ側よりも、筐体２の後面３Ｂ側に位置することが好ましい。後端面１４Ｂ側が前端面１４Ａ側よりも後面３Ｂ側に位置することによって、ユーザーとの接触をより確実に抑制できる。従って、変位量θは、０度よりも大きく、且つ９０度よりも小さいことが好ましい。
【００２３】
また、図１〜図４を参照して説明したように、本実施形態の画像形成装置１においては、ＩＣカードリーダー２０が発光部２１を有し、蓋板１１は、発光部２１が発する光を透過する。従って、ＩＣカードリーダー２０が収納部１０に収納されていることをユーザーが認識しやすくなる。また、蓋板１１をすり板ガラスのような半透明の材料から形成しても、ＩＣカードリーダー２０の位置を認識することが容易になり、ＩＣカードリーダー２０にＩＣカードをかざすことが容易になる。
【００２４】
次に、図３〜図５を参照して、収納部１０を更に詳細に説明する。
【００２５】
図５は、収納部１０の内部構造を示す。図５に示すように、ＩＣカードリーダー２０は、リード線２２を有する。リード線２２は、コネクター３０に接続される。リード線２２は例えばＵＳＢケーブルである。収納部１０は、第１凹部１４と、第２凹部１５とを更に有する。第１凹部１４、及び第２凹部１５は、蓋板１１によって覆われる。
【００２６】
第１凹部１４は、ＩＣカードリーダー２０を収納する。第２凹部１５は、リード線２２を収納する。第１凹部１４と、第２凹部１５とは、収納部１０の長手方向に隣接するように収納部１０に配設される。コネクター３０は、第２凹部１５の内部に向かって開口する。従って、リード線２２をコネクター３０に接続することが容易になる。
【００２７】
以上、図３〜図５を参照して説明したように、本実施形態の画像形成装置１においては、収納部１０がリード線２２を収納可能である。従って、ＩＣカードリーダー２０のように、リード線２２を有する電子機器を筐体２に取り付けることが容易になる。
【００２８】
また、図３〜図５を参照して説明したように、本実施形態の画像形成装置１においては、収納部１０がコネクター３０を有し、コネクター３０がＩＣカードリーダー２０と共に回動する。従って、収納部１０が回動したときに、コネクター３０とＩＣカードリーダー２０との間の相対的な位置関係が変化しない。その結果、収納部１０の回動によってリード線２２が断線することを防止でき、ＩＣカードリーダー２０と制御部４０との間の電気的接続を安定して維持できる。
【００２９】
更に、図３及び図４を参照して説明したように、本実施形態の画像形成装置１においては、コネクター３０が、収納部１０のうち、後端面１４Ｂ側よりも前端面１４Ａ側に近い位置に配設される。コネクター３０を、収納部１０のうち、前端面１４Ａ側よりも後端面１４Ｂ側に近い位置に配設する場合と比較すると、収納部１０が第１姿勢と第２姿勢との間で回動するとき、コネクター３０が筐体２に対して移動する距離は小さくなる。従って、収納部１０が第１姿勢と第２姿勢との間で回動するとき、接続ライン３１の変形量を抑えることができる。その結果、接続ライン３１の断線を防止でき、ＩＣカードリーダー２０と制御部４０との間の電気的接続を安定して維持できる。
【００３０】
以上、図面（図１〜図５）を参照しながら本発明の実施形態について説明した。本発明の実施形態によれば、収納部１０が第１姿勢と第２姿勢との間で回動する。収納部１０が、第１姿勢から第２姿勢に回動するとき、収納部１０は、前端面１４Ａ側を支点として、後端面１４Ｂ側が前端面１４Ａ側よりも上に位置するように回動する。従って、筐体２の前面３Ａ側から見て、支点が概ね前面３Ａ側にある。その結果、外部の物体との接触によって、収納部１０の角度が変わることを抑制でき、ユーザーの利便性を向上させることができる。
【００３１】
但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【産業上の利用可能性】
【００３２】
本発明は、表示装置及び画像形成装置に関するものであり、産業上の利用可能性を有する。
【符号の説明】
【００３３】
１      ：画像形成装置
２      ：筐体
３Ａ    ：前面
３Ｂ    ：後面
３Ｃ    ：上面
５      ：支軸
１０    ：収納部
１１    ：蓋板
１２    ：天面
１４Ａ  ：前端面
１４Ｂ  ：後端面
２０    ：ＩＣカードリーダー
２１    ：発光部
２２    ：リード線
３０    ：コネクター
【図１】
2018034323.tif 000003
【図２】
2018034323.tif 000004
【図３】
2018034323.tif 000005
【図４】
2018034323.tif 000006
【図５】
2018034323.tif 000007